(57)【要約】【課題】簡単な構成で、かつ、外観を損ねることなく、用紙排出口の位置が異なる様々な画像形成装置に対応させて用紙搬入口の高さを調整することができる後処理装置およびこれを備えた画像形成装置を提供することを目的とする。【解決手段】画像形成装置１は、画像形成装置本体２の用紙排出口５６から出力された用紙４に対して後処理を施す後処理装置１０を備えている。又、後処理装置１０は、用紙搬入口１１１の配置が異なる複数の搬入ガイド部材１１５を備えている。ここで、この搬入ガイド部材１１５は、後処理装置本体１０１に対して脱着自在に設けられている。従って、簡単な構成で、用紙排出口５６の位置が異なる様々な画像形成装置１に対応させて用紙搬入口１１１の高さを調整することが可能になるとともに、後処理装置１０を画像形成装置１に適切に接続することが可能になる。【選択図】  図１
2006124093.tif 000002
【特許請求の範囲】
【請求項１】
画像形成装置に設けられた用紙排出口から排出された用紙を受け入れるための用紙搬入口と、前記用紙搬入口に延設されるとともに、前記用紙を後処理装置本体内へと搬送する搬送ローラ対に前記用紙を導入するための導入経路を有する複数の搬入ガイド部材を備え、前記複数の搬入ガイド部材の各々が有する前記用紙搬入口の配置が異なるとともに、前記複数の搬入ガイド部材の各々が、前記後処理装置本体に対して脱着自在に設けられていることを特徴とする後処理装置。
【請求項２】
前記複数の搬入ガイド部材の各々が、前記後処理装置本体に対して略垂直方向に移動自在に設けられていることを特徴とする請求項１に記載の後処理装置。
【請求項３】
前記複数の搬入ガイド部材の少なくとも１つが、複数の前記用紙搬入口を有することを特徴とする請求項１または請求項２に記載の後処理装置。
【請求項４】
前記複数の搬入ガイド部材の少なくとも１つが、１つの前記用紙搬入口と複数の前記導入経路を有することを特徴とする請求項１または請求項２に記載の後処理装置。
【請求項５】
後処理が施された前記用紙が排紙される排紙トレイを更に備え、前記複数の搬入ガイド部材の少なくとも１つが、前記排紙トレイへの搬送経路を有することを特徴とする請求項１乃至請求項４のいずれかに記載の後処理装置。
【請求項６】
請求項１乃至請求項５のいずれかに記載の後処理装置を備えることを特徴とする画像形成装置。
【発明の詳細な説明】
【技術分野】
【０００１】
本発明は、用紙排出口から排出された用紙に対し、例えば、穿孔処理等の後処理を施す後処理装置、及びこれを備えた画像形成装置に関する。
【背景技術】
【０００２】
一般に、複写機、プリンタ、ファクシミリなどの画像形成装置においては、画像形成装置本体より排出された画像形成後の用紙に対して、穿孔処理等の後処理を施すための後処理装置が接続されている。
【０００３】
又、当該後処理装置においては、画像形成装置本体側の一端に設けられた用紙排出口と対向する位置に、用紙搬入口が設けられている。そして、画像形成がなされた用紙は、用紙排出口から排出されるとともに、用紙搬入口を介して、画像形成装置本体の側部に設けられた後処理装置に搬送され、所定の後処理が施される構成となっている。
【０００４】
ここで、画像形成装置の機種等によって、上記用紙排出口の高さが異なるため、画像形成装置に後処理装置を接続するためには、用紙排出口に対向する用紙搬入口の高さを調整する必要がある。
【０００５】
そこで、従来、用紙排出口に対向する用紙搬入口の高さを調整可能な後処理装置が提案されている。より具体的には、当該後処理装置は、用紙排出口から排出された用紙を導入する導入経路を有する搬入ガイド部材を備えている。そして、当該搬入ガイド部材を、支軸部を中心として回動可能に設けるとともに、後処理装置本体に対して、支軸部を中心に揺動自在に取り付けることにより、用紙排出口に対向する用紙搬入口の高さを、画像形成装置の用紙排出口に対して調整可能な構成となっている（例えば、特許文献１参照）。
【特許文献１】特開２００２−８７６３８号公報
【発明の開示】
【発明が解決しようとする課題】
【０００６】
しかし、上記従来の後処理装置においては、上述のごとく、搬入ガイド部材を回動させる方式を採用しており、後処理装置の構造上、当該搬入ガイド部材の回動範囲に制限があるため、用紙排出口に対向する用紙搬入口の高さの調整範囲にも一定の制限がある。従って、画像形成装置に設けられた用紙排出口の位置によっては、用紙搬入口の高さを調整することができず、結果として、画像形成装置に後処理装置を適切に接続することができない場合が生じていた。
【０００７】
又、搬入ガイド部材を回動させるための複雑な回動機構を設けなければならず、画像形成装置の用紙排出口の位置によって、水平方向における画像形成装置と後処理装置の距離が変化するため、装置全体の設置面積が変化するとともに、外観を損ねてしまうという問題が生じていた。
【０００８】
又、上記従来の後処理装置の構成においては、導入経路を分岐することができないため、後処理装置に排出トレイであるサブトレイを追加する場合において、当該サブトレイへの導入経路を確保することができず、結果として、当該サブトレイへ排紙することができないという問題があった。
【０００９】
そこで、本発明は、上述の問題に鑑みてなされたものであり、簡単な構成で、かつ、外観を損ねることなく、用紙排出口の位置が異なる様々な画像形成装置に対応させて用紙搬入口の高さを調整することができる後処理装置およびこれを備えた画像形成装置を提供することを目的とする。
【課題を解決するための手段】
【００１０】
上記目的を達成するために、本発明の後処理装置は、画像形成装置に設けられた用紙排出口から排出された用紙を受け入れるための用紙搬入口と、用紙搬入口に延設されるとともに、用紙を後処理装置本体内へと搬送する搬送ローラ対に用紙を導入するための導入経路を有する複数の搬入ガイド部材を備え、複数の搬入ガイド部材の各々が有する用紙搬入口の配置が異なるとともに、複数の搬入ガイド部材の各々が、後処理装置本体に対して脱着自在に設けられていることを特徴とする。
【００１１】
ここで、本発明の後処理装置においては、複数の搬入ガイド部材の各々が、後処理装置本体に対して略垂直方向に移動自在に設けられているものとすることができる。又、複数の搬入ガイド部材の少なくとも１つが、複数の前記用紙搬入口を有するものとすることができ、複数の搬入ガイド部材の少なくとも１つが、１つの用紙搬入口と複数の導入経路を有するものとすることもできる。又、後処理が施された用紙が排紙される排紙トレイを更に備え、複数の搬入ガイド部材の少なくとも１つが、排紙トレイへの搬送経路を有するものとすることができる。
【００１２】
又、本発明の画像形成装置は、上述のいずれかに記載の後処理装置を備えることを特徴とする。
【発明の効果】
【００１３】
本発明の後処理装置によれば、画像形成装置に設けられた用紙排出口から排出された用紙を受け入れるための用紙搬入口と、用紙搬入口に延設されるとともに、用紙を後処理装置本体内へと搬送する搬送ローラ対に用紙を導入するための導入経路を有する複数の搬入ガイド部材を備える構成としている。又、複数の搬入ガイド部材の各々が有する用紙搬入口の配置が異なるとともに、複数の搬入ガイド部材の各々が、後処理装置本体に対して脱着自在に設けられる構成としている。従って、簡単な構成で、用紙排出口の位置が異なる様々な画像形成装置に対応させて用紙搬入口の高さを調整することが可能になるとともに、後処理装置を画像形成装置に適切に接続することが可能になる。又、画像形成装置の用紙排出口の位置によって、画像形成装置と後処理装置の距離が変化することがなくなるため、装置全体の設置面積の変化を防止することができるとともに、外観を損ねるという問題を回避することが可能になる。
【００１４】
又、複数の搬入ガイド部材の各々が、後処理装置本体に対して略垂直方向に移動自在に設けられる構成としている。従って、画像形成装置の用紙排出口の位置に対応させて用紙搬入口の高さを調整する際の利便性を向上させることが可能になる。
【００１５】
又、複数の搬入ガイド部材の少なくとも１つが、複数の用紙搬入口を有する構成としている。従って、画像形成装置の用紙排出口の位置に対応させて用紙搬入口の高さを調整する際の利便性を向上させることが可能になる。
【００１６】
又、複数の搬入ガイド部材の少なくとも１つが、１つの用紙搬入口と複数の導入経路を有する構成としている。従って、画像形成装置１の用紙排出口の位置に対応させて用紙搬入口の高さを調整する際の利便性を向上させることが可能になる。
【００１７】
又、後処理が施された用紙が排紙される排紙トレイを更に備え、複数の搬入ガイド部材の少なくとも１つが、排紙トレイへの搬送経路を有する構成としている。従って、排紙トレイを追加して設けた場合においても、画像形成装置の用紙排出口の位置に対応させて用紙搬入口の高さを調整することが可能になるとともに、追加した排紙トレイへの排紙が可能になる。
【００１８】
又、本発明の画像形成装置によれば、上述のいずれかに記載の後処理装置を備える構成としているため、上述のいずれかに記載の後処理装置と同じ効果を得ることが可能になる。
【発明を実施するための最良の形態】
【００１９】
以下に、本発明の具体的な実施形態について図面を参照しながら説明する。図１は、本発明の実施形態に係る後処理装置を備える画像形成装置の全体構成を示す概略図である。図１に示す様に、この画像形成装置１は、画像形成装置本体２の下部に配設された給紙部３と、この給紙部３から給紙された用紙４を搬送する用紙搬送路５と、給紙部３の下流側に配設された画像形成部６と、この画像形成部６の更に下流側に配設された定着部７を備えている。又、これら画像形成部６および定着部７の上方に配設された画像読取部８と、画像形成装置本体２の側部に設けられ、画像形成装置本体２から出力された画像が形成された用紙４に穿孔処理等の後処理を施す後処理装置１０を備えている。
【００２０】
給紙部３は、用紙４が収容された複数（本実施形態においては２つ）の給紙カセット３１を備えており、給紙ローラ３２の回転動作により、当該複数の給紙カセット３１のうち選択された給紙カセット３１から用紙４が用紙搬送路５側に送り出され、用紙４が１枚ずつ確実に用紙搬送路５に給紙されるように構成されている。尚、これら２つの給紙カセット３１は、画像形成装置本体２に対し、着脱自在となるように構成されている。
【００２１】
用紙搬送路５に給紙された用紙４は、上下一対のレジストローラ５１、５２および搬送ローラ対５３などの各種ローラ対によって画像形成部６に向けて搬送される。
この画像形成部６は、電子写真プロセスによって、用紙４に所定のトナー像を形成するものであり、所定の方向（図中の矢印方向）に回転可能に軸支された像端持体である感光体６１と、この感光体６１の周囲にその回転方向に沿って、帯電装置６２、露光装置６３、現像装置６４、転写装置６５、クリーニング装置６６、及び除電装置６７を備えている。
【００２２】
帯電装置６２は、高電圧が印加される帯電ワイヤを備えており、この帯電ワイヤからのコロナ放電によって感光体６１の表面に所定電位を与えることにより、感光体６１の表面が一様に帯電させられる。そして、露光装置６３により、画像読取部８によって読み取られた原稿の画像データに基づく光が、感光体６１に照射されることにより、感光体６１の表面電位が選択的に減衰されて、この感光体６１の表面に静電潜像が形成される。次いで、現像装置６４により、上記静電潜像にトナーが付着し、感光体６１の表面にトナー像が形成され、転写装置６５により、感光体６１の表面のトナー像が、感光体６１と転写装置６５との間に供給された用紙４に転写される。
【００２３】
トナー像が転写された用紙４は、搬送ベルト５５を経由して、画像形成部６から定着部７に向けて搬送される。この定着部７は、画像形成部６の用紙搬送方向の下流側に配置されており、画像形成部６においてトナー像が転写された用紙４は、定着部７に設けられた加熱ローラ７１、及び当該加熱ローラ７１に押し付けられる加圧ローラ７２によって挟まれるとともに加熱され、用紙４上にトナー像が定着される。
【００２４】
次いで、画像形成部６から定着部７において画像形成がなされた用紙４は、画像形成装置１に設けられた用紙排出口５６を介して、排出ローラ対５４によって画像形成装置本体２の側部に設けられた後処理装置１０に搬送される。一方、上記転写後、感光体６１の表面に残留しているトナーは、クリーニング装置６６により除去され、感光体６１の表面の残留電荷は、除電装置６７により除去される。そして、感光体６１は帯電装置６２によって再び帯電され、以下同様にして画像形成が行われることになる。
【００２５】
後処理装置１０は、後処理装置本体１０１を備えており、画像形成装置本体２側の一端の用紙排出口５６と対向する位置に、用紙排出口５６から排出された用紙を受け入れるための用紙搬入口１１１が設けられている。又、後処理装置１０は、用紙４を後処理装置本体１０１内へと搬送するための搬送ローラ対１１２を備えており、用紙搬入口１１１には、画像形成装置１から排出された用紙４を搬送ローラ対１１２に導入するための導入経路１１３が延設されている。又、当該導入経路１１３は、搬送ローラ対１１２を介して、第１の用紙搬送路１１０に接続される構成となっており、当該第１の用紙搬送路１１０の途中には、用紙４に穿孔処理を施す穿孔処理手段９と、穿孔処理により生じる穿孔カスを収容するための穿孔カス収容部９２が設けられている。
【００２６】
又、図１に示す様に、第１の用紙搬送路１１０の中間部に第２の用紙搬送路１２０が接続されており、この第２の用紙搬送路１２０は、ステイプル処理部１５０、及び当該ステイプル処理部１５０、第３の用紙搬送路１２３を介して中折処理部１６０へと延設されている。
【００２７】
又、第１の用紙搬送路１１０と第２の用紙搬送路１２０との分岐部１３０には、分岐爪（不図示）が配設されており、当該分岐爪は、例えば、電磁ソレノイド（不図示）によって上下に作動されるようになっている。そして、穿孔処理が施された用紙４は、上記分岐部１３０へと搬送され、上記分岐爪の位置により、その後の処理内容が決定される構成となっている。即ち、例えば、電磁ソレノイドが除勢され、分岐爪が所定の位置（例えば、下側の位置）に位置付けられている場合は、用紙４は、第１の用紙搬送路１１０を通って、第１の用紙搬送路１１０の排出側端部に設けられた排出ローラ対１１４に向けて搬送され、例えば、ノンソート用の排紙トレイであるサブトレイ１４１に排紙される。
【００２８】
一方、電磁ソレノイドが付勢され、分岐爪が所定の位置（例えば、上側の位置）に位置付けられている場合は、用紙４は、第１の用紙搬送路１１０の分岐部１３０から第２の用紙搬送路１２０を経て、ステイプル処理部１５０に向けて搬送される。そして、用紙４は、当該ステイプル処理部１５０の用紙受台１５１に向けて搬送され、その後、ステイプル手段１５２によりステイプル処理が施され、当該処理後に、例えば、排紙トレイであるメイントレイ１４２に排紙される。尚、当該メイントレイ１４２は、サブトレイ１４１の下方に配設され、上下方向に移動可能に構成されている。
【００２９】
又、その後の処理として、中折処理が設定されている場合には、第２の用紙搬送路１２０の延長部分に繋がれた第３の用紙搬送路１２３を介して中折処理部１６０に搬送される。そして、当該中折処理部１６０により中折処理が施され、例えば、中折用トレイ１４３に排紙される。
【００３０】
かかる構成において、本実施形態の後処理装置１０においては、上述の用紙搬入口１１１と導入経路１１３を有する搬入ガイド部材１１５を設けるとともに、当該搬入ガイド部材１１５を後処理装置本体１０１に対して脱着自在に設ける構成としている。
【００３１】
この搬入ガイド部材１１５の着脱機構としては、例えば、後処理装置本体１０１に、搬入ガイド部材１１５を挿入するための開口部１１６を設け、当該開口部１１６にガイドレール（不図示）を設けるとともに、搬入ガイド部材１１５にスライドレール（不図示）を設ける構成とする。そして、搬入ガイド部材１１５を後処理装置本体１０１の開口部１１６に挿入するとともに、スライドレールをガイドレールに係合させ、搬入ガイド部材１１５を図中の矢印Ａの方向に押し込むと、スライドレールがガイドレール上を摺動し、搬入ガイド部材１１５が後処理装置本体１０１に対して装着される構成とすることができる。又、逆に、搬入ガイド部材１１５を図中の矢印Ｂの方向に引き出すことにより、スライドレールがガイドレール上を摺動し、搬入ガイド部材１１５が引き出されるとともに、当該搬入ガイド部材１１５が後処理装置本体１０１から取り外される構成とすることができる。
【００３２】
又、本実施形態における後処理装置１０は、用紙搬入口１１１の配置が異なる複数の搬入ガイド部材１１５を備える構成としている。より具体的には、例えば、搬入ガイド部材１１５の側面部１１８の下方側に用紙搬入口１１１を有する搬入ガイド部材１１５（図２参照）と、当該側面部１１８の上方側に用紙搬入口１１１を有する搬入ガイド部材１１５（図３参照）と、当該側面部１１８の略中央部に用紙搬入口１１１を有する搬入ガイド部材１１５（図４参照）とを備えている。
【００３３】
そして、本実施形態においては、画像形成装置１に設けられた用紙排出口５６の位置に対応した用紙搬入口１１１を有する搬入ガイド部材１１５を後処理装置本体１０１に対して装着する構成としている。例えば、画像形成装置１に設けられた用紙排出口５６が、後処理装置１０に設けられた第１の用紙搬送路１１０よりも下方側に位置する場合は、図１に示す様に、上述の図２に示した、側面部１１８の下方側に用紙搬入口１１１を有する搬入ガイド部材１１５を後処理装置本体１０１に対して装着することにより、後処理装置１０を画像形成装置１に適切に接続することが可能になる。又、例えば、画像形成装置１に設けられた用紙排出口５６が、後処理装置１０に設けられた第１の用紙搬送路１１０と略同じ高さに位置する場合は、図５に示す様に、上述の図４に示した、側面部１１８の略中央部に用紙搬入口１１１を有する搬入ガイド部材１１５を後処理装置本体１０１に対して装着することにより、後処理装置１０を画像形成装置１に適切に接続することが可能になる。
【００３４】
又、搬入ガイド部材１１５を後処理装置本体１０１に対して略垂直方向に移動自在に設ける構成とすることも可能である。この搬入ガイド部材１１５の移動機構としては、例えば、上述の搬入ガイド部材１１５の着脱機構と同様の機構を採用することができる。より具体的には、図６に示す様に、後処理装置本体１０１に設けられた開口部１１６に、上述の着脱機構において説明したガイドレールとは異なる不図示のガイドレール（以下、「他のガイドレール」という。）を設けるとともに、搬入ガイド部材１１５に、上述の着脱機構において説明したスライドレールとは異なる不図示のスライドレール（以下、「他のスライドレール」という。）を設ける構成とする。そして、搬入ガイド部材１１５を後処理装置本体１０１の開口部１１６に挿入した状態で、他のスライドレールを他のガイドレールに係合させ、他のスライドレールを他のガイドレール上を摺動させる構成とする。この様な構成とすれば、搬入ガイド部材１１５を後処理装置本体１０１に対して略垂直方向（即ち、図中の矢印Ｃで示す上下方向）に移動させることができる。そして、例えば、搬入ガイド部材１１５に係止片（不図示）を設けるとともに、後処理装置１０に、当該係止片と係合する係止溝（不図示）を設け、後処理装置本体１０１に対して、搬入ガイド部材１１５を所望の位置（即ち、用紙排出口５６の位置に対応した位置）で係止させることにより、当該搬入ガイド部材１１５を後処理装置本体１０１に対して装着する構成とすることができる。この様な構成により、画像形成装置１の用紙排出口５６の位置に対応させて用紙搬入口１１１の高さを調整する際の利便性が向上することになる。
【００３５】
以上に説明した様に、本実施形態においては、用紙排出口５６から排出された用紙４を受け入れるための用紙搬入口１１１と、用紙搬入口１１１に延設されるとともに、搬送ローラ対１１２に用紙４を導入するための導入経路１１３を有する複数の搬入ガイド部材１１５を備える構成としている。そして、複数の搬入ガイド部材１１５の各々が有する用紙搬入口１１１の配置が異なるとともに、複数の搬入ガイド部材１１５の各々が、後処理装置本体１０１に対して脱着自在に設けられる構成としている。従って、簡単な構成で、用紙排出口５６の位置が異なる様々な画像形成装置１に対応させて用紙搬入口１１１の高さを調整することが可能になるとともに、後処理装置１０を画像形成装置１に適切に接続することが可能になる。又、用紙排出口５６の位置によって、水平方向における画像形成装置１と後処理装置１０の距離が変化することがなくなるため、装置全体の設置面積の変化を防止することができるとともに、外観を損ねるという問題を回避することが可能になる。
【００３６】
又、本実施形態においては、複数の搬入ガイド部材１１５の各々を、後処理装置本体１０１に対して略垂直方向に移動自在に設ける構成としている。従って、画像形成装置１の用紙排出口５６の位置に対応させて用紙搬入口１１１の高さを調整する際の利便性が向上することになる。
【００３７】
尚、上記実施形態は、単なる説明例であり、本発明の範囲は、上記実施形態に限定されるものではなく、本発明の趣旨に基づいて各構成物品の形状、寸法、材料等を変更することが可能であり、それらを本発明の範囲から除外するものではない。
【００３８】
例えば、本実施形態においては、複数の用紙搬入口１１１を有する搬入ガイド部材１１５を少なくとも１つ用いる構成としても良い。例えば、図７に示す様に、上述の図２〜図４に示した搬入ガイド部材を組み合わせ、３つの用紙搬入口１１１を有する搬入ガイド部材１１５を用いることが可能である。又、本実施形態においては、図８に示す様に、１つの用紙搬入口１１１と複数の導入経路１１３を有する搬入ガイド部材１１５を少なくとも１つ用いる構成としても良い。図７、図８に示した、これらの搬入ガイド部材１１５を用いることにより、画像形成装置１の用紙排出口５６の位置に対応させて用紙搬入口１１１の高さを調整する際の利便性が向上することになる。
【００３９】
又、図９に示す様に、後処理装置１０が、後処理がなされた用紙４を排紙するための他の排紙トレイであるサブトレイ１４４を更に備える場合において、図１０に示す、当該サブトレイ１４４への搬送経路１１７を有する搬入ガイド部材１１５を少なくとも１つ使用する構成とすることもできる。この様な構成により、サブトレイ１４４を追加して設けた場合においても、当該サブトレイ１４４への排紙が可能になるとともに、画像形成装置１の用紙排出口５６の位置に対応させて用紙搬入口１１１の高さを調整することが可能になる。
【００４０】
更に、上記実施形態においては、画像形成装置の一例として、デジタル複写機を示したが、ファクシミリやプリンタ等の他の画像形成装置であっても良いことは言うまでもない。
【産業上の利用可能性】
【００４１】
本発明の活用例としては、用紙排出口から排出された用紙に対し、例えば、穿孔処理等の後処理を施す後処理装置、及びこれを備えた画像形成装置が挙げられる。
【図面の簡単な説明】
【００４２】
【図１】本発明の実施形態に係る後処理装置を備える画像形成装置の全体構成を示す概略図である。
【図２】本発明の実施形態に係る後処理装置における搬入ガイド部材を説明するための概略図である。
【図３】本発明の実施形態に係る後処理装置における搬入ガイド部材を説明するための概略図である。
【図４】本発明の実施形態に係る後処理装置における搬入ガイド部材を説明するための概略図である。
【図５】図４に示す搬入ガイド部材が装着された後処理装置を備える画像形成装置の全体構成を示す概略図である。
【図６】本発明の実施形態に係る後処理装置における搬入ガイド部材の移動機構を説明するための概略図である。
【図７】本発明の実施形態に係る後処理装置における搬入ガイド部材を説明するための概略図である。
【図８】本発明の実施形態に係る後処理装置における搬入ガイド部材を説明するための概略図である。
【図９】サブトレイへの搬送経路を有する搬入ガイド部材が装着された後処理装置を備える画像形成装置の全体構成を示す概略図である。
【図１０】本発明の実施形態に係る後処理装置における搬入ガイド部材を説明するための概略図である。
【符号の説明】
【００４３】
１…画像形成装置、２…画像形成装置本体、４…用紙、９…穿孔処理手段、１０…後処理装置、５４…排出ローラ対、５６…用紙排出口、１０１…後処理装置本体、１１０…第１の用紙搬送路、１１１…用紙搬入口、１１２…搬送ローラ対、１１３…導入経路、１１５…搬入ガイド部材、１１６…開口部、１１７…搬送経路、１１８…側面部、１４１…サブトレイ、１４２…メイントレイ、１４３…中折用トレイ、１４４…サブトレイ
【図１】
2006124093.tif 000003
【図２】
2006124093.tif 000004
【図３】
2006124093.tif 000005
【図４】
2006124093.tif 000006
【図５】
2006124093.tif 000007
【図６】
2006124093.tif 000008
【図７】
2006124093.tif 000009
【図８】
2006124093.tif 000010
【図９】
2006124093.tif 000011
【図１０】
2006124093.tif 000012